(57)【要約】【課題】ブラケットの大型化を抑制しつつ、簡易な作業によって機能ユニットの取り付けを適切に図ることが可能な機能ユニットの取付け構造を提供する。【解決手段】上側ブラケット１の支持片部１２は、下向き突起状とされて、機能ユニットＵの上側凸部４３を下方から進入させ得る下部開口状の隙間１３を形成し、かつこの隙間１３に上側凸部４３が進入した状態では上側凸部４３の手前側への移動を規制可能であり、機能ユニットＵの底面部、および下側ブラケット２の受板部２１には、位置決め用の孔部２２および下側凸部４４が設けられ、上側凸部４３を隙間１３に進入させた後に、この進入状態を維持させたまま機能ユニットＵを下降させることにより、機能ユニットＵを受板部２１上に載せ、かつ下側凸部４４を孔部２２に挿入させることが可能である。【選択図】  図１
2014226449.tif 000002
【特許請求の範囲】
【請求項１】
ケース内に所望の機器が組み込まれた機能ユニットと、
浴室内の所望の取付け対象壁に取り付けられるブラケットと、
を備えており、
前記ブラケットとして、前記機能ユニットを載せるための略水平な受板部を有する下側ブラケットと、この下側ブラケットと一体または別体に形成され、かつ前記機能ユニットの上部に設けられた上向きの上側凸部を支持するための支持片部を有する上側ブラケットと、を備えている、浴室における機能ユニットの取付け構造であって、
前記上側ブラケットの支持片部は、下向き突起状とされて、前記取付け対象壁の手前側に前記機能ユニットの上側凸部を下方から進入させることが可能な下部開口状の隙間を形成しており、かつこの隙間に前記上側凸部が進入した状態においては、前記上側凸部が前記取付け対象壁の手前側に移動することを規制可能であり、
前記機能ユニットの底面部、および前記下側ブラケットの受板部のうち、一方には、孔部が設けられ、かつ他方には、前記孔部に挿入されることによって前記機能ユニットの水平方向における位置決めが可能な下側凸部が設けられており、
前記上側凸部を前記隙間に進入させた後に、この進入状態を維持させたまま前記機能ユニットを下降させることにより、前記機能ユニットを前記受板部上に載せるとともに、前記下側凸部を前記孔部に挿入させることが可能とされていることを特徴とする、浴室における機能ユニットの取付け構造。
【請求項２】
請求項１に記載の浴室における機能ユニットの取付け構造であって、
前記上側凸部および前記下側凸部は、前記機能ユニットのケースと一体成形されている、浴室における機能ユニットの取付け構造。
【発明の詳細な説明】
【技術分野】
【０００１】
本発明は、たとえば浴槽洗浄用などの機能ユニットを浴室内の所望の壁に取り付けるための構造に関する。
【背景技術】
【０００２】
本出願人は、機能ユニットの一例として、特許文献１に記載された機能ユニットを先に提案している。同文献に記載された機能ユニットは、浴槽洗浄用の機能ユニットであり、ケース内に各種の流体機器や洗剤投入用弁が組み込まれている。この機能ユニットにおいては、給湯器から供給されてくる湯水に洗剤を混入させることにより洗剤液（洗浄水）を生成し、この洗剤液を浴槽に設置された洗浄用ノズルに供給することが可能である。
【０００３】
前記したような機能ユニットは、たとえば浴槽と浴槽エプロンとの隙間に設置される。この場合、機能ユニットは、起立状の壁部に取り付けられる。特許文献１には、機能ユニットの取付け手段の詳細は開示されていないが、従来においては、たとえば図８に示すような手段が採用されている。
【０００４】
図８に示す手段においては、浴室内の取付け対象壁３に上側ブラケット７および下側ブラケット８がネジ止めされている。下側ブラケット８は、略水平状の受板部８１を有し、この受板部８１上に機能ユニット９が載せられている。一方、上側ブラケット７は、取付け対象壁３の手前側に大きく突出した支持片部７２を有しており、この支持片部７２の先端のフランジ７２ａに、機能ユニット９の上部に設けられた凸部９０を連結させている。この連結は、プッシュリベット、あるいはボルト・ナットなどの連結部材９９を用いてなされる。このような構成によれば、取付け対象壁３の手前側に機能ユニット９を固定させた状態に取り付けることが可能である。
【０００５】
しかしながら、前記従来技術においては、次に述べるように、未だ改善すべき余地がある。
【０００６】
すなわち、機能ユニット９の取り付けに際しては、連結部材９９を操作するための工具が必要である。したがって、機能ユニット９の着脱作業が煩雑なものとなっている。機能ユニット９を浴槽と浴槽エプロンとの隙間に設置するような場合には、作業スペースが相当に狭く、作業条件は良好ではないために、前記したように工具を用いる作業は、一層煩雑なものとなる。
下側ブラケット８の受板部８１上には、機能ユニット９が単に載せられているだけであって、この部分での位置決めは図られていないために、機能ユニット９の確実な固定を図るには、上側ブラケット７の支持片部７２を比較的大きなサイズに形成し、その突出寸法も大きくする必要がある。ところが、このように支持片部７２を大きく突出させたのでは、この部分に作業者の服や手などが引っ掛かりを生じ易くなるといった不具合も生じる。
【先行技術文献】
【特許文献】
【０００７】
【特許文献１】特許第４９６７８３６号公報
【発明の概要】
【発明が解決しようとする課題】
【０００８】
本発明は、前記したような事情のもとで考え出されたものであり、ブラケットの大型化などを抑制しつつ、機能ユニットの取り付けを簡易な作業によって適切に図ることが可能
な浴室における機能ユニットの取付け構造を提供することを、その課題としている。
【課題を解決するための手段】
【０００９】
上記の課題を解決するため、本発明では、次の技術的手段を講じている。
【００１０】
本発明により提供される浴室における機能ユニットの取付け構造は、ケース内に所望の機器が組み込まれた機能ユニットと、浴室内の所望の取付け対象壁に取り付けられるブラケットと、を備えており、前記ブラケットとして、前記機能ユニットを載せるための略水平な受板部を有する下側ブラケットと、この下側ブラケットと一体または別体に形成され、かつ前記機能ユニットの上部に設けられた上向きの上側凸部を支持するための支持片部を有する上側ブラケットと、を備えている、浴室における機能ユニットの取付け構造であって、前記上側ブラケットの支持片部は、下向き突起状とされて、前記取付け対象壁の手前側に前記機能ユニットの上側凸部を下方から進入させることが可能な下部開口状の隙間を形成しており、かつこの隙間に前記上側凸部が進入した状態においては、前記上側凸部が前記取付け対象壁の手前側に移動することを規制可能であり、前記機能ユニットの底面部、および前記下側ブラケットの受板部のうち、一方には、孔部が設けられ、かつ他方には、前記孔部に挿入されることによって前記機能ユニットの水平方向における位置決めが可能な下側凸部が設けられており、前記上側凸部を前記隙間に進入させた後に、この進入状態を維持させたまま前記機能ユニットを下降させることにより、前記機能ユニットを前記受板部上に載せるとともに、前記下側凸部を前記孔部に挿入させることが可能とされていることを特徴としている。
【００１１】
このような構成によれば、次のような効果が得られる。
すなわち、機能ユニットを取付け対象壁に取り付ける操作としては、機能ユニットの上側凸部を上側ブラケット側の所定の隙間内にその下方から進入させた後に、機能ユニットを下降させて下側ブラケットの受板部上に載せ、かつ下側凸部を孔部に挿入させる操作を行なえばよい。このような操作は、たとえばケンドン方式の家屋の扉や窓を所定の枠部に嵌め込む際の操作と同様であり、工具を用いる必要はない。このため、従来技術と比較として、機能ユニットの取付け作業が容易となり、作業性が向上する。したがって、浴室内の狭い作業スペースに機能ユニットを設置するような場合にも好適となる。
また、本発明によれば、機能ユニットの取付け状態では、下側ブラケットの受板部が機能ユニットの重量を支持することに加え、孔部と下側凸部との嵌合作用によって機能ユニットの水平方向の位置決めが適切に図られる。上側ブラケットの支持片部は、上側凸部が取付け対象壁の手前側に移動することを規制するために、機能ユニットの上部側が取付け対象壁の手前側に倒れるようなこともない。このようなことから、上側ブラケットや下側ブラケットを取付け対象壁からさほど大きく突出させなくても、機能ユニットを適切に固定することができる。従来技術においては、取付け対象壁の手前側にブラケットの一部を大きく突出させる必要があり、作業者の服などがその部分に引っ掛かる虞があったが、本発明によれば、そのような虞を無くし、または少なくすることが可能である。
その他、本発明によれば、機能ユニットの取り付けに際して、プッシュリベットやボルト・ナットなどの連結部材は不要であるため、このことによるコスト削減も図ることができる。
【００１２】
本発明において、好ましくは、前記上側凸部および前記下側凸部は、前記機能ユニットのケースと一体成形されている。
【００１３】
このような構成によれば、上側凸部および下側凸部を容易に形成することができ、それらの部分を設けるためのコストを廉価にすることが可能である。
【００１４】
本発明のその他の特徴および利点は、添付図面を参照して以下に行なう発明の実施の形
態の説明から、より明らかになるであろう。
【図面の簡単な説明】
【００１５】
【図１】（ａ），（ｂ）は、本発明に係る浴室における機能ユニットの取付け構造の一例を示す一部断面側面図である。
【図２】（ａ）は、図１に示す構造に用いられている上側ブラケットの斜視図であり、（ｂ）は、図１に示す構造に用いられている下側ブラケットの斜視図である。
【図３】（ａ）は、図１に示す構造に用いられている機能ユニットの要部平面図であり、（ｂ）は、図１に示す構造に用いられている機能ユニットの要部底面図である。
【図４】（ａ）は、図１に示す機能ユニットの内部構造を示す一部破断正面図であり、（ｂ）は、（ａ）のIVb−IVb断面図である。
【図５】本発明の他の例を示す要部説明図である。
【図６】（ａ），（ｂ）は、本発明の他の例を示す概略斜視図である。
【図７】本発明の他の例を示す概略斜視図である。
【図８】従来技術の一例を示す要部断面側面図である。
【発明を実施するための形態】
【００１６】
以下、本発明の好ましい実施の形態について、図面を参照して具体的に説明する。
【００１７】
図１に示す浴室における機能ユニットの取付け構造Ｃ（以下、適宜「取付け構造Ｃ」と略称する）は、機能ユニットＵと、この機能ユニットＵの取付け対象壁３に固定して取り付けられる上側ブラケット１と、下側ブラケット２とを備えている。機能ユニットＵは、たとえば浴室の浴槽と浴槽エプロンとの隙間に設置され、取付け対象壁３は、そのような隙間に対面する起立状の壁部である。なお、取付け対象壁３は、パネルなどの部材であってもよいことは勿論である。
【００１８】
機能ユニットＵは、浴槽洗浄装置の構成要素として用いられるものであり、洗剤液（洗浄水）を生成し、かつこの洗剤液を浴槽に設置された洗浄ノズルに送り出すためのものである。機能ユニットＵの全体の基本的な構成自体は、特許文献１に記載されたものと同様である。
【００１９】
機能ユニットＵの基本的な構成について、図４を参照して簡単に説明すると、この機能ユニットＵは、樹脂製のケース４内に、種々の流体機器が組み付けられて一連の通水路５が構成されたものである。ケース４は、前面開口状のケース本体４０と、その前面開口部分を覆うカバー体４１（図４では、その一部分のみを示している）とを組み合わせたものである。
【００２０】
通水路５には、洗剤投入用弁５０が接続されており、給湯機などから流入口５ａを介して供給されてきた湯水に洗剤を混入させることにより洗剤液（洗浄水）を生成可能である。この洗浄水は、流出口５ｂから浴槽洗浄用の洗浄ノズルに向けて送出される。洗剤投入用弁５０には、別途設けられている洗剤タンクから洗剤導入口５０ａを介して洗剤が供給される。前記した洗浄水の生成処理および洗浄ノズルへの送出を適切に行なうための手段として、通水路５には、フィルタ５１、水ガバナ５２、流量センサ５３、注湯電磁弁（開閉弁）５４、逆流水を通水路５の外部に逃がすための逃がし弁５５，５６、および複数の逆止弁などが設けられている。逃がし弁５５からケース４の外部への逆流水の排出は、逃がし弁５５に接続されたホース５５ａ、およびケース４の背面壁部に設けられ、かつホース５５ａが接続された孔部５５ｂを介して行なわれる。逃がし弁５６からの排水は、管体５６ａを介して行なわれる。
【００２１】
機能ユニットＵの取付けを図るための手段として、ケース４の上面部の一端寄り、およ
び底面部の一端寄りの位置には、上側凸部４３および下側凸部４４が突設されている。これら上側凸部４３および下側凸部４４は、ケース本体４０と一体的に樹脂成形されたものである。上側凸部４３は、上向き凸状であり、図３（ａ）に示すように、たとえば平面視コ字状であって、前壁部４３ａおよび両側壁部４３ｂを有している。下側凸部４４は、下向き凸状であり、図３（ｂ）に示すように、底面視略長矩形状である。
【００２２】
図１において、上側ブラケット１および下側ブラケット２は、金属板にプレス加工などを施して形成されたものであり、ともにネジ体３９を用いて取付け対象壁３に取り付けられている。
【００２３】
上側ブラケット１は、取付け対象壁３に当接して固定されるベース部１０の下縁部から前側（取付け対象壁３の手前側）に突出する突出片部１１、およびこの突出片部１１の先端縁から下向きに突出する支持片部１２を有している（図２（ａ）も参照）。取付け対象壁３と支持片部１２との間には、下部開口状の隙間１３が形成されている。機能ユニットＵの上側凸部４３（厳密には、上側凸部４３の前壁部４３ａ）は、この隙間１３にその下方から進入させることが可能である。この進入を容易にするための手段として、支持片部１２の下縁部は、手前側に湾曲または屈曲している。隙間１３への上側凸部４３の進入時においては、図３（ａ）の仮想線に示すように、支持片部１２は上側凸部４３の両側壁部４３ｂ間に挟まれた配置となるように設定されている。
【００２４】
下側ブラケット２は、取付け対象壁３に当接して固定されるベース部２０の上縁から手前側に突出する略水平の受板部２１を有している。この受板部２１には、機能ユニットＵの下側凸部４４が挿入される位置決め用の孔部２２が設けられている（図２（ｂ）も参照）。位置決め用の孔部２２は、たとえば平面視矩形状であり、この孔部２２に下側凸部４４を挿入した際の水平方向における下側凸部４４の遊び代は小寸法である。
【００２５】
本実施形態の取付け構造Ｃでは、機能ユニットＵの取り付けは、次のような操作で行なうことが可能とされている。
すなわち、図１（ｂ）に示す状態において、まず上側凸部４３を隙間１３にその下方から進入させる。次いで、隙間１３に上側凸部４３を進入させた状態のまま、下側凸部４４を孔部２２の上方に位置するように機能ユニットＵを動かし、その後に機能ユニットＵを下降させる。このことにより、下側凸部４４を孔部２２に挿入させるとともに、機能ユニットＵの底面部を受板部２１上に載せる。上側凸部４３は、隙間１３に進入したままである。
【００２６】
本実施形態の取付け構造Ｃにおいては、次のような作用が得られる。
【００２７】
図1（ｂ）を参照して説明したとおり、機能ユニットＵを上側ブラケット１および下側ブラケット２に固定させる際には、ボルト・ナットなどの連結部材や、工具が一切不要である。機能ユニットＵの取り付け操作は、ケンドン方式の家屋の扉や窓を所定の枠部に嵌め込む際の操作と同様であり、容易かつ迅速に行なうことが可能である。したがって、機能ユニットＵの設置箇所が、たとえば浴槽と浴槽エプロンとの間の狭いスペースであるような場合にも適する。もちろん、機能ユニットＵを上側ブラケット１および下側ブラケット２から取り外す作業も容易である。
【００２８】
機能ユニットＵの取り付け状態においては、下側ブラケット２の受板部２１が、機能ユニットＵの重量を支持する。加えて、孔部２２と下側凸部４４との嵌合作用によって機能ユニットＵの水平方向の位置決めが的確に図られる。上側ブラケット１の支持片部１２は、上側凸部４３が取付け対象壁３の手前側に移動することを阻止するため、機能ユニットＵの上部が手前側に倒れることも適切に防止される。したがって、機能ユニットＵを安定
した状態に支持することができる。上側ブラケット１および下側ブラケット２は、取付け対象壁３から大きく突出させるといった必要もなく、作業者の服などがそれらに引っ掛かるといった不具合も生じ難くすることが可能である。
【００２９】
図５〜図７は、本発明の他の実施形態を示している。これらの図において、前記実施形態と同一または類似の要素には、前記実施形態と同一の符号を付している。
【００３０】
図５に示す実施形態においては、下側ブラケット２に、上向き凸状の下側凸部４４Ａが設けられている。機能ユニットＵの底面部には、下側凸部４４Ａが挿入される位置決め用の孔部２２Ａ（非貫通孔である凹状の孔部も含む）が設けられている。
このような構成であっても、機能ユニットＵを受板部２１上に載せた際に、下側凸部４４Ａを孔部２２Ａに挿入することができ、機能ユニットＵの位置決めを適切に図ることが可能である。
【００３１】
図６に示す実施形態においては、機能ユニットＵの上面部のうち、左右長手方向の略中央の位置に、２つの上側凸部４３Ｂ，４３Ｃが設けられている。これら上側凸部４３Ｂ，４３Ｃは、機能ユニットＵの短手方向に間隔を隔てている。これと同様に、機能ユニットＵの底面部のうち、左右長手方向略中央には、短手方向に間隔を隔てた２つの下側凸部４４Ｂ，４４Ｃが設けられている。
【００３２】
本実施形態によれば、機能ユニットＵの長手方向が取付け対象壁３の面方向となるように取り付けることができ、機能ユニットＵが取付け対象壁３の手前に大きく突出しないようにすることが可能である。また、図６（ａ）においては、上側凸部４３Ｂおよび下側凸部４４Ｂを利用した取り付けがなされているのに対し、図６（ｂ）においては、それらとは別の上側凸部４３Ｃおよび下側凸部４４Ｃを利用した取り付けがなされており、機能ユニットＵの向きが互いに反対となっている。本実施形態によれば、図６（ａ），（ｂ）のいずれの向きにも取り付けることが可能である。このことにより、機能ユニットＵの側面部の配管継手４９を左右いずれの側にも設定し得ることとなり、配管作業性を良好にする上で好ましい。
【００３３】
図７に示す実施形態においては、機能ユニットＵの上面部および底面部のそれぞれの略中央位置に、上側凸部４３Ｄおよび下側凸部４４Ｄが設けられている。上側ブラケット１および下側ブラケット２は、上側凸部４３Ｄおよび下側凸部４４Ｄの配置に対応し、先に述べた実施形態のものと比較して、取付け対象壁３からの突出寸法がやや大きくされている。
【００３４】
本実施形態によれば、図６に示した実施形態と同様に、機能ユニットＵの向きを、配管継手４９が左側に存在する向きと、右側に存在する向きとのいずれにも設定することが可能である。その一方、図６に示した実施形態とは異なり、機能ユニットＵに設けられる上側凸部４３Ｄおよび下側凸部４４Ｄは、１つずつでよく、機能ユニットＵの構成の簡素化を図ることが可能である。
【００３５】
本発明は、上述した実施形態の内容に限定されない。本発明に係る浴室における機能ユニットの取付け構造の各部の具体的な構成は、本発明の意図する範囲内において種々に設計変更自在である。
【００３６】
上側ブラケットおよび下側ブラケットは、互いに別体に形成されていなくてもよく、これらが一体的に繋がった状態に形成されていてもよい。
本発明でいう機能ユニットは、浴槽洗浄に用いる洗浄水を生成するものに限定されない。たとえば、ジェットバス用のポンプをケース内に組み込んだものや、湯水流路などを切
り替えるための方向切り替え弁またはその他の弁をケース内に組み込んだものなど、要は、所望の機器がケース内に組み込まれてユニット化されたものであればよい。機能ユニットの取付け対象壁は、浴室内に位置する壁であるが、その具体的な位置などはやはり限定されない。取付け対象壁がパネル材などであってもよいことは既に述べたとおりである。
【符号の説明】
【００３７】
Ｃ  浴室における機能ユニットの取付け構造
Ｕ  機能ユニット
１  上側ブラケット
２  下側ブラケット
３  取付け対象壁
４  ケース（機能ユニットの）
１２  支持片部（上側ブラケットの）
１３  隙間
２１  受板部
２２，２２Ａ  孔部
４３，４３Ｂ〜４３Ｄ  上側凸部
４４，４４Ａ〜４４Ｄ  下側凸部
【図１】
2014226449.tif 000003
【図２】
2014226449.tif 000004
【図３】
2014226449.tif 000005
【図４】
2014226449.tif 000006
【図５】
2014226449.tif 000007
【図６】
2014226449.tif 000008
【図７】
2014226449.tif 000009
【図８】
2014226449.tif 000010